(57)【要約】      （修正有）【課題】簡単な構成で、持ち運びが容易であると共に、使用も容易な鉄棒運動用補助具を提供する。【解決手段】一本の平帯状のベルト２の一端側にベルト２をループ状にして鉄棒に巻掛け可能なループ形成部材４を設ける。ループ形成部材４は、ベルト２の一端に取り付けられ、ベルト２を通すことが可能な金具６である。また、ベルト２の他端側に互いに貼り合わせ可能な一対の面ファスナー部材１４，１６をベルト２をループ状にして鉄棒に巻掛け可能に設けると共に、一対の面ファスナー部材１４，１６はベルト２の長手方向の長さが異なる。これにより、使用者の背面側に当てられて、使用者を鉄棒に支持する際に、貼り合わせ位置を調整することにより、長さを調整できる。【選択図】図１
2008167932.tif 000002
【特許請求の範囲】
【請求項１】
使用者の背面側に当てられて、使用者を鉄棒に支持する鉄棒運動用補助具において、
一本の平帯状のベルトの一端側に該ベルトをループ状にして前記鉄棒に巻掛け可能なループ形成部材を設け、かつ、前記ベルトの他端側に互いに貼り合わせ可能な一対の面ファスナー部材を前記ベルトをループ状にして前記鉄棒に巻掛け可能に設けると共に、前記一対の面ファスナー部材は前記ベルトの長手方向の長さが異なることを特徴とする鉄棒練習用補助具。
【請求項２】
前記ループ形成部材は、前記ベルトの一端に取り付けられ、前記ベルトを通すことが可能な金具であることを特徴とする請求項１に記載の鉄棒運動用補助具。
【請求項３】
前記ループ形成部材は、互いに着脱可能に連結される一対の連結具を備え、前記連結具の一方を前記ベルトの一端に取り付けると共に、前記連結具の他方を前記ベルトの途中に取り付けたことを特徴とする請求項１に記載の鉄棒運動用補助具。
【請求項４】
前記ループ形成部材は、互いに貼り合わせ可能な一対の面ファスナー部材を前記ベルトの一端側に貼り合わせにより前記ベルトをループ状に形成可能に設けたことを特徴とする請求項１に記載の鉄棒運動用補助具。
【請求項５】
前記ベルトの他端側の一対の前記面ファスナー部材は、前記ベルトの長手方向に間隔を開けて設けられたことを特徴とする請求項１ないし請求項４のいずれかに記載の鉄棒運動用補助具。
【発明の詳細な説明】
【技術分野】
【０００１】
本発明は、逆上がりなどの鉄棒運動の際に、使用者を鉄棒に支持して運動の補助をする鉄棒運動用補助具に関する。
【背景技術】
【０００２】
従来より、鉄棒運動の際に、使用者を補助する鉄棒運動用補助具として、特許文献１にあるように、使用者の身体に巻き付けて固定するベルトと、ベルトにバンドで取り付けられるリング状弾性バンドと、リング状弾性バンドを鉄棒に着脱自在に固定する鉄棒連結用のベルトとを有するものが提案されている。
【特許文献１】特開２００５−３４８９１３号公報
【発明の開示】
【発明が解決しようとする課題】
【０００３】
しかしながら、こうした従来のものでは、ベルト、リング状弾性バンド、鉄棒連結用のベルト等の多数の部材を必要とし、製造が煩雑であると共に、形が大きく持ち運びに不便である。また、使用に当たっては、ベルトを身体に巻き付けて固定すると共に、リング状弾性バンドをベルトにバンドを介して取り付け、リング状弾性バンドを鉄棒に鉄棒連結用のベルトによって取り付けなければならず、装着が煩雑であり、使用者が小学生等の子供である場合、使用者一人では装着が難しいという問題があった。
【０００４】
本発明の課題は、簡単な構成で、持ち運びが容易であると共に、使用も容易な鉄棒運動用補助具を提供することにある。
【課題を解決するための手段】
【０００５】
かかる課題を達成すべく、本発明は課題を解決するため次の手段を取った。即ち、
使用者の背面側に当てられて、使用者を鉄棒に支持する鉄棒運動用補助具において、
一本の平帯状のベルトの一端側に該ベルトをループ状にして前記鉄棒に巻掛け可能なループ形成部材を設け、かつ、前記ベルトの他端側に互いに貼り合わせ可能な一対の面ファスナー部材を前記ベルトをループ状にして前記鉄棒に巻掛け可能に設けると共に、前記一対の面ファスナー部材は前記ベルトの長手方向の長さが異なることを特徴とする鉄棒練習用補助具がそれである。
【０００６】
前記ループ形成部材は、前記ベルトの一端に取り付けられ、前記ベルトを通すことが可能な金具であってもよい。また、前記ループ形成部材は、互いに着脱可能に連結される一対の連結具を備え、前記連結具の一方を前記ベルトの一端に取り付けると共に、前記連結具の他方を前記ベルトの途中に取り付けた構成でもよい。更に、前記ループ形成部材は、互いに貼り合わせ可能な一対の面ファスナー部材を前記ベルトの一端側に貼り合わせにより前記ベルトをループ状に形成可能に設けた構成でもよい。あるいは、前記ベルトの他端側の一対の前記面ファスナー部材は、前記ベルトの長手方向に間隔を開けて設けてもよい。
【発明の効果】
【０００７】
本発明の鉄棒運動用補助具は、ベルトの両端にループを形成できるので、簡単な構成で、持ち運びが容易であると共に、使用も容易であるという効果を奏する。ループ形成部材として金具を用いることにより、簡単な構成で、製造も容易である。また、ループ形成部材として一対の連結具を用いることにより、使用がより容易になり、小学生でも一人で使用できる。更に、ループ形成部材として一対の面状ファスナー部材を用いると、より軽量化でき、持ち運びにも便利である。
【発明を実施するための最良の形態】
【０００８】
以下本発明を実施するための最良の形態を図面に基づいて詳細に説明する。
図１に示すように、１は鉄棒運動用補助具で、鉄棒運動用補助具１は一本の平帯状のベルト２を備えている。ベルト２は合成繊維または天然繊維の糸を編んだ丈夫な織物で形成されており、ベルト２の幅や長さは使用者の体重や身長等の体格に応じて決定すればよく、使用者の体格が小さいときには、ベルト２の幅を小さく、長さも短くてよく、使用者の体格が大きいときには、ベルト２の幅を大きく、長さも長くすればよい。
【０００９】
ベルト２の一端側にはループ形成部材４が設けられている。本実施形態では、ループ形成部材４には、金具６が用いられており、金具６にはベルト２の幅と厚さよりも少し大きい略長方形状の２つの挿通孔８，１０が設けられている。
【００１０】
一方の挿通孔８にベルト２の一端側が通された後、折り返されてベルト２に重ね合わされ、ベルト２の一端がベルト２に縫い合わされ、あるいは、ファスナーや接着剤等により固定されて、金具６がベルト２の一端に取り付けられている。
【００１１】
ベルト２の他端側には、互いに貼り合わせ可能な一対の面ファスナー部材１４，１６が設けられている。本実施形態では、一対の面ファスナー部材１４，１６は、一方がフック型あるいはマッシュルーム型の係合素子を多数有する雄側面ファスナー部材１４で、他方が多数のループが形成された雌側面ファスナー部材１６で構成されており、係合素子がループに係合することにより係合力を発揮して貼り合わせができる周知のものである。
【００１２】
雄側面ファスナー部材１４はベルト２の他端に縫い合わされ、あるいは、接着剤等により固定されている。雄側面ファスナー部材１４は、本実施形態では、ベルト２の幅とほぼ同じ幅に形成されて、ベルト２に取り付けられており、ベルト２の長手方向の長さは、雌側面ファスナー部材１６と貼り合わせた際の係合力が使用者の体重を支持するのに十分な強さとなるように決定されている。
【００１３】
雌側面ファスナー部材１６は、雄側面ファスナー部材１４と同じ面側のベルト２に、雄側面ファスナー部材１４と並べて縫い合わされ、あるいは、接着剤等により固定されている。
【００１４】
また、雌側面ファスナー部材１６は雄側面ファスナー部材１４と間隔ａをあけて取り付けられている。間隔ａは、本実施形態では、後述する鉄棒２０の周長よりも長くあけられている。更に、雌側面ファスナー部材１６のベルト２の長手方向の長さは、雄側面ファスナー部材１４のベルト２の長手方向の長さよりも長く形成されている。その長さは、雄側面ファスナー部材１４を貼り合わせる位置を調整できるように、例えば、雄側面ファスナー部材１４の長さの２倍〜５倍程度にするのが好ましい。尚、前述したとは逆に、雌側面ファスナー部材１６をベルト２の先端側に取り付け、雄側面ファスナー部材１４を間隔ａをあけて内側（金具６側）に取り付けてもよい。
【００１５】
次に、本実施形態の鉄棒運動用補助具１の作動を使用方法と共に説明する。
まず、図２（イ）に示すように、鉄棒２０に鉄棒運動用補助具１を巻掛け、金具６の他方の挿通孔１０にベルト２の他端側を通して、ループを形成する。そして、図２（ロ）に示すように、ベルト２の他端側を引いて、ループを小さくし、ベルト２を鉄棒２０に巻掛けた状態で密着させる。
【００１６】
そして、ベルト２の他端側を鉄棒２０に巻掛けてループを形成する。次に、ループ状に鉄棒２０に巻掛けたベルト２の他端側の雄側面ファスナー部材１４を雌側面ファスナー部材１６に貼り合わせる。その際、図３に示すように、ベルト２が使用者の背面側、特に臀部に当てられた状態で、鉄棒２０に巻掛けられるようにするとよい。
【００１７】
雌側面ファスナー部材１６は雄側面ファスナー部材１４よりも長さが長いので、雄側面ファスナー部材１４を貼り合わせる位置を調整できる。よって、図３に示すように、使用者が腹部側を鉄棒２０に密着させた状態で、ベルト２が背面側、特に臀部に当てられるようにベルト２の他端側を引いて、その状態で、雄側面ファスナー部材１４を雌側面ファスナー部材１６に貼り合わせるとよい。
【００１８】
一旦、長さを調整すると、同じ位置で雄側面ファスナー部材１４を雌側面ファスナー部材１６に貼り合わせることにより、同じ状態を再現できる。使用者が一人で鉄棒２０に鉄棒運動用補助具１を取り付けた後、鉄棒運動用補助具１と鉄棒２０との間を使用者が潜って、ベルト２が背面側、特に臀部に当てられるようにしてもよい。よって、使用者が小学生等の幼児であっても、簡単に鉄棒運動用補助具１を使用できる。
【００１９】
これにより、使用者の背面側に鉄棒運動用補助具１が当てられて、鉄棒運動用補助具１により鉄棒２０に支持される。落下等する恐怖感から解放されるので、使用者が逆上がりの練習をする際には、使用者の腹部側が鉄棒２０に密着された状態が維持され、安心して頭や足を振って反動をつけることができ、逆上がりのこつをつかみやすくなる。
【００２０】
また、鉄棒運動用補助具１はベルト２の一端側に金具６が取り付けられ、他端側には一対の面ファスナー部材１４，１６が取り付けられた構造であるので、持ち運びが容易であり、製造も簡単であり、低価格で製造できる。
【００２１】
次に、前述した実施形態の鉄棒運動用補助具１と異なる第２実施形態の鉄棒運動用補助具について、図４、図５によって説明する。尚、前述した実施形態と同じ部材については同一番号を付して詳細な説明を省略する。以下同様。
【００２２】
本第２実施形態の鉄棒運動用補助具２１は、ベルト２の一端側に設けられたループ形成部材２２として、一対の連結具２４，２６を備えている。一方の雄側の連結具２４にはベルト２を通すことができる挿通孔２８が形成されており、挿通孔２８にベルト２の一端側を通した後、折り返されてベルト２に重ね合わされ、ベルト２の一端がベルト２に縫い合わされ、あるいは、接着剤等により固定されて、雄側の連結具２４がベルト２の一端に取り付けられている。
【００２３】
他方の雌側の連結具２６は、ベルト２の一端側で、雄側の連結具２４から他端側に離れた位置のベルト２の途中に、図示しないファスナーや縫い合わせ、あるいは接着剤等により固定されている。
【００２４】
雄側の連結具２４と雌側の連結具２６とは、互いに着脱可能に連結することができるもので、本実施形態では、雄側の連結具２４の矢印状突部２４ａを弾性変形させながら雌側の連結具２６の挿入孔２６ａに挿入することにより、矢印状突部２４ａが挿入孔２６ａ内で元の形状に戻り、両連結具２４，２６が連結される。また、矢印状突部２４ａを指等で弾性変形させると、矢印状突部２４ａを挿入孔２６ａから引き抜くことができる。
【００２５】
雄側の連結具２４と雌側の連結具２６との間のベルト２の長さは、雄側の連結具２４と雌側の連結具２６との間のベルト２を鉄棒２０に巻掛けた状態で、両連結具２４，２６の着脱可能を容易に行うことができる長さにされている。ベルト２の他端側には、前述した実施形態と同様に、一対の面ファスナー部材１４，１６が設けられている。
【００２６】
本第２実施形態の鉄棒運動用補助具２１では、雄側の連結具２４を雌側の連結具２６に挿入することにより、ベルト２をループ状にすることができ、使用する際には、雄側の連結具２４と雌側の連結具２６との間のベルト２を鉄棒２０に巻掛けた状態で、雄側の連結具２４を雌側の連結具２６に挿入する。
【００２７】
これにより、前述した実施形態の図２に示す状態と同じように、ベルト２の一端側をループ状にして鉄棒２０に巻掛けることができる。しかも、前述した実施形態の鉄棒運動用補助具１よりも簡単に鉄棒２０にループ状にして巻掛けて止めることができる。
【００２８】
続いて、第３実施形態の鉄棒運動用補助具について、図６によって説明する。
本第３実施形態の鉄棒運動用補助具３１は、ベルト２の一端側に設けられたループ形成部材３２として、互いに貼り合わせ可能な一対の面ファスナー部材３４，３６を備えている。この一対の面ファスナー部材３４，３６は、ベルト２の他端側の一対の面ファスナー部材１４，１６と同様、一方が雄側面ファスナー部材３４で他方が雌側面ファスナー部材３６であり、互いに貼り合わせ可能である。
【００２９】
本実施形態では、雄側面ファスナー部材３４がベルト２の一端側に取り付けられており、間隔ａをあけて雌側面ファスナー部材３６が取り付けられている。雄側面ファスナー部材３４を雌側面ファスナー部材３６に貼り合わせることにより、ベルト２をループ状にすることができ、使用する際には、雄側面ファスナー部材３４と雌側面ファスナー部材３６との間の隙間ａのベルト２を鉄棒２０に巻掛けた状態で、貼り合わせる。
【００３０】
これにより、前述した実施形態の図２に示す状態と同じように、ベルト２の一端側をループ状にして鉄棒２０に巻掛けることができる。しかも、ベルト２の両端側にそれぞれ一対の面ファスナー部材１４，１６，３４，３６を取り付けるだけで構成できるので、より容易に製作でき、また、軽量化できるので持ち運びもより容易になる。雄側面ファスナー部材３４の長さと、雌側面ファスナー部材３６の長さは、同じに形成してもよく、あるいは、、雌側面ファスナー部材３６の長さを長く形成して、貼り合わせ位置を調整できるようにしてもよい。
【００３１】
以上本発明はこの様な実施形態に何等限定されるものではなく、本発明の要旨を逸脱しない範囲において種々なる態様で実施し得る。
【図面の簡単な説明】
【００３２】
【図１】本発明の一実施形態としての鉄棒運動用補助具の正面図である。
【図２】本実施形態の鉄棒運動用補助具の使用手順を示す説明図である。
【図３】本実施形態の鉄棒運動用補助具の使用状態の説明図である。
【図４】第２実施形態としての鉄棒運動用補助具の正面図である。
【図５】図４のＡＡ断面図である。
【図６】第３実施形態としての鉄棒運動用補助具の正面図である。
【符号の説明】
【００３３】
１，２１，３１…鉄棒運動用補助具  ２…ベルト
４，２２，３２…ループ形成部材    ６…金具
１４，３４…雄側面ファスナー部材  １６，３６…雌側面ファスナー部材
２０…鉄棒                        ２４，２６…連結具
【図１】
2008167932.tif 000003
【図２】
2008167932.tif 000004
【図３】
2008167932.tif 000005
【図４】
2008167932.tif 000006
【図５】
2008167932.tif 000007
【図６】
2008167932.tif 000008